【手続補正書】
【提出日】平成20年3月4日(2008.3.4)
【手続補正１】
【補正対象書類名】明細書
【補正対象項目名】特許請求の範囲
【補正方法】変更
【補正の内容】
【特許請求の範囲】
【請求項１】  互いに溶接されて細長い溶接継目を形成する第１及び第２部材（１４，６２，３１４，４１４；１６，６０，３１６，４１６）と、
対応する表面に開口するように前記部材中に形成され、前記溶接継目の両側に第１及び第２ポケット部分（３５，１３５，２３５，３３５，４３５，３７，１３７，２３７，３３７，４３７）を構成し、１端部に隣接する前記第１ポケット部分は、前記継目から間隔を置いた横方向に拡大した凹部（３２，１３２，２３２，３３２、４３２）と前記継目に隣接する横方向に縮小した部分とを有し、前記第２ポケット部分は、前記継目に隣接する横方向に縮小した部分を有する、連続したポケット（２０，１２０，２２０，３２０，４２０）とを含み、
前記１つの部材の前記ポケット部分の１つは、前記１つのポケット部分の基部から前記１つの部材の表面に向う方向に延びる突起を有し、さらに
横方向に縮小した中間部分（３８，１３８，２３８，３３８，４３８）により互いに接続された横方向に拡大した端部部分（３２，１３２，２３２，３３２，４３２）を含み、前記拡大した端部部分の１つは前記第１ポケット部分に受入れられ、前記縮小した中間部分は前記溶接継目に跨って前記縮小したポケット部分に受入れられる、補強要素（１８，１１８，２１８，３１８，４１８）と、
前記突起に係合し前記要素を前記溶接継目に跨って前記ポケット内に保持する保持具（２３，１２３，２２３，３２３，４２３）とを備え、
前記要素の前記１つの拡大した端部部分は、前記突起を受入れるための開口（３０，１３０，２３０，３３０）を有し、前記保持クランプが前記開口中にあって前記突起の周りに受入れられることを特徴とする溶接補強構造。
【請求項２】  前記第２ポケット部分は、前記溶接継目から間隔を置いた横方向に拡大した凹部（３４，１３４，２３４，３３４，４３４）を含み、前記要素の前記拡大した端部部分は、前記第１及び第２ポケット部分にそれぞれ受入れられ、前記要素の前記縮小した中間部分は、前記溶接継目に跨っていることを特徴とする請求項１に記載の溶接補強構造。
【請求項３】  前記保持クランプは、スリーブ（５０）、前記スリーブの周りの環状ウェッジ（５２）、及びドライバ（５４）を含み、前記ドライバ及び前記スリーブを互いにねじ込むのに応じて、かかるウェッジが前記スリーブの周りに引寄せられるように前記ドライバが前記スリーブに螺合され、それによって前記要素及び前記突起を互いに固定することを特徴とする請求項２に記載の溶接補強構造。
【請求項４】  前記第１及び第２部材（６０，６２）は、互いに角度を持ち、前記要素の前記拡大した端部部分の別の１つ（２２４）が、その角度を持つ表面に沿って前記第２部材に係合することを特徴とする請求項１に記載の溶接補強構造。
【請求項５】  互いに溶接されて細長い溶接継目を形成する第１及び第２部材（１４，６２，３１４，４１４；１６，６０，３１６，４１６）と、
対応する表面に開口するように前記部材中に形成され、前記溶接継目の両側に第１及び第２ポケット部分（３５，１３５，２３５，３３５，４３５，３７，１３７，２３７，３３７，４３７）を構成し、１端部に隣接する前記第１ポケット部分は、前記継目から間隔を置いた横方向に拡大した凹部（３２，１３２，２３２，３３２、４３２）と前記継目に隣接する横方向に縮小した部分とを有し、前記第２ポケット部分は、前記継目に隣接する横方向に縮小した部分を有する、連続したポケット（２０，１２０，２２０，３２０，４２０）とを含み、
前記１つの部材の前記ポケット部分の１つは、前記１つのポケット部分の基部から前記１つの部材の表面に向う方向に延びる突起を有し、さらに
横方向に縮小した中間部分（３８，１３８，２３８，３３８，４３８）により互いに接続された横方向に拡大した端部部分（３２，１３２，２３２，３３２，４３２）を含み、前記拡大した端部部分の１つは前記第１ポケット部分に受入れられ、前記縮小した中間部分は前記溶接継目に跨って前記縮小したポケット部分に受入れられる、補強要素（１８，１１８，２１８，３１８，４１８）と、
前記突起に係合し前記要素を前記溶接継目に跨って前記ポケット内に保持する保持具（２３，１２３，２２３，３２３，４２３）とを備え、
前記１つのポケット部分は、前記細長い溶接継目に概ね平行に延び、前記第１部材の前記基部から前記表面に向う方向で前記１つのポケット部分から離れるようにテーパを持った少なくとも１つの端縁（４２）を有することを特徴とする溶接補強構造。
【請求項６】  互いに溶接されて細長い溶接継目を形成する第１及び第２部材（１４，６２，３１４，４１４；１６，６０，３１６，４１６）と、
対応する表面に開口するように前記部材中に形成され、前記溶接継目の両側に第１及び第２ポケット部分（３５，１３５，２３５，３３５，４３５，３７，１３７，２３７，３３７，４３７）を構成し、１端部に隣接する前記第１ポケット部分は、前記継目から間隔を置いた横方向に拡大した凹部（３２，１３２，２３２，３３２、４３２）と前記継目に隣接する横方向に縮小した部分とを有し、前記第２ポケット部分は、前記継目に隣接する横方向に縮小した部分を有する、連続したポケット（２０，１２０，２２０，３２０，４２０）とを含み、
前記１つの部材の前記ポケット部分の１つは、前記１つのポケット部分の基部から前記１つの部材の表面に向う方向に延びる突起を有し、さらに
横方向に縮小した中間部分（３８，１３８，２３８，３３８，４３８）により互いに接続された横方向に拡大した端部部分（３２，１３２，２３２，３３２，４３２）を含み、前記拡大した端部部分の１つは前記第１ポケット部分に受入れられ、前記縮小した中間部分は前記溶接継目に跨って前記縮小したポケット部分に受入れられる、補強要素（１８，１１８，２１８，３１８，４１８）と、
前記突起に係合し前記要素を前記溶接継目に跨って前記ポケット内に保持する保持具（２３，１２３，２２３，３２３，４２３）とを備え、
前記１つのポケット部分は、前記細長い溶接継目に概ね平行に延び、かつ前記第１部材の前記基部から前記表面に向う方向で互いに離れるようにテーパを持った、対向する側面に沿った概ね平行な端縁（４３，４５）を有することを特徴とする溶接補強構造。
【請求項７】  互いに溶接されて細長い溶接継目を形成する第１及び第２部材（１４，６２，３１４，４１４；１６，６０，３１６，４１６）と、
対応する表面に開口するように前記部材中に形成され、前記溶接継目の両側に第１及び第２ポケット部分（３５，１３５，２３５，３３５，４３５，３７，１３７，２３７，３３７，４３７）を構成し、１端部に隣接する前記第１ポケット部分は、前記継目から間隔を置いた横方向に拡大した凹部（３２，１３２，２３２，３３２、４３２）と前記継目に隣接する横方向に縮小した部分とを有し、前記第２ポケット部分は、前記継目に隣接する横方向に縮小した部分を有する、連続したポケット（２０，１２０，２２０，３２０，４２０）とを含み、
前記１つの部材の前記ポケット部分の１つは、前記１つのポケット部分の基部から前記１つの部材の表面に向う方向に延びる突起を有し、さらに
横方向に縮小した中間部分（３８，１３８，２３８，３３８，４３８）により互いに接続された横方向に拡大した端部部分（３２，１３２，２３２，３３２，４３２）を含み、前記拡大した端部部分の１つは前記第１ポケット部分に受入れられ、前記縮小した中間部分は前記溶接継目に跨って前記縮小したポケット部分に受入れられる、補強要素（１８，１１８，２１８，３１８，４１８）と、
前記突起に係合し前記要素を前記溶接継目に跨って前記ポケット内に保持する保持具（２３，１２３，２２３，３２３，４２３）とを備え、
前記１つのポケット部分は、前記細長い溶接継目に概ね平行に延び、前記第１部材の前記基部から前記表面に向う方向で前記１つのポケット部分から離れるようにテーパを持った少なくとも１つの端縁（４２）を有し、前記要素の前記１つの拡大した端部部分は、前記細長い溶接継目に概ね平行に延び、前記１つのポケット部分の前記１つの端縁の前記テーパに対して概ね相補的な形状であるテーパを有する少なくとも１つの端縁（４６）を有することを特徴とする溶接補強構造。
【請求項８】  互いに溶接されて細長い溶接継目を形成する第１及び第２部材（１４，６２，３１４，４１４；１６，６０，３１６，４１６）と、
対応する表面に開口するように前記部材中に形成され、前記溶接継目の両側に第１及び第２ポケット部分（３５，１３５，２３５，３３５，４３５，３７，１３７，２３７，３３７，４３７）を構成し、１端部に隣接する前記第１ポケット部分は、前記継目から間隔を置いた横方向に拡大した凹部（３２，１３２，２３２，３３２、４３２）と前記継目に隣接する横方向に縮小した部分とを有し、前記第２ポケット部分は、前記継目に隣接する横方向に縮小した部分を有する、連続したポケット（２０，１２０，２２０，３２０，４２０）とを含み、
前記１つの部材の前記ポケット部分の１つは、前記１つのポケット部分の基部から前記１つの部材の表面に向う方向に延びる突起を有し、さらに
横方向に縮小した中間部分（３８，１３８，２３８，３３８，４３８）により互いに接続された横方向に拡大した端部部分（３２，１３２，２３２，３３２，４３２）を含み、前記拡大した端部部分の１つは前記第１ポケット部分に受入れられ、前記縮小した中間部分は前記溶接継目に跨って前記縮小したポケット部分に受入れられる、補強要素（１８，１１８，２１８，３１８，４１８）と、
前記突起に係合し前記要素を前記溶接継目に跨って前記ポケット内に保持する保持具（２３，１２３，２２３，３２３，４２３）とを備え、
前記１つのポケット部分の前記横方向に拡大した凹部は、前記細長い溶接継目に概ね平行に延び、前記第１部材の前記基部から前記表面に向う方向で互いに離れるようにテーパを持った、対向する側面に沿った概ね平行な端縁（４２，４３）を有し、前記要素の前記１つの拡大した端部部分は、前記細長い溶接継目に概ね平行で、かつ前記第１ポケット部分の前記対向する端縁の前記テーパに対して概ね相補的な形状であるテーパを持った、対向する側面に沿った概ね平行な端縁（４６）を有することを特徴とする溶接補強構造。
【請求項９】  前記要素は、前記第１及び第２部材の熱膨張係数より低い熱膨張係数を有する材料で形成され、前記溶接継目に垂直な方向の荷重が前記要素に沿う引張荷重として担持されることを可能にすることを特徴とする請求項１に記載の溶接補強構造。
【請求項１０】  前記基部は、前記最初に述べた表面の反対側の前記第１部材の第２表面まで延びる貫通孔（４２７）を有し、前記突起（４２９）は前記開口を貫通して受入れられ、前記保持クランプにより係合されることを特徴とする請求項１に記載の溶接補強構造。
【請求項１１】  互いに溶接されて細長い溶接継目を形成する第１及び第２部材（１４，１６）と、
対応する表面に開口するように前記部材中に形成され、前記溶接継目の両側に第１及び第２ポケット部分（３５，３７）を構成し、前記第１ポケット部分（３５）は、前記継目から間隔を置いた横方向に拡大した凹部（３２）と前記継目に隣接する縮小した部分とを有し、前記第２ポケット部分（３７）は、前記継目に隣接する横方向に縮小した部分を有する、連続したポケット（２０）と、
横方向に縮小した中間部分（２８）により互いに接続された横方向に拡大した端部部分（２２，２４）を含み、前記拡大した端部部分の１つは前記第１ポケット部分に受入れられ、前記縮小した中間部分は前記溶接継目に跨って前記ポケットに受入れられる、補強要素（１８）と、
前記表面に沿って前記要素並びに前記第１及び第２部材の上を覆う被覆（５００）と、を含むことを特徴とする溶接補強構造。
【請求項１２】  互いに溶接されて細長い溶接継目を形成する第１及び第２部材（１４，３１４，４１４；１６，３１６，４１６）と、
対応する表面に開口するように前記部材中に形成され、前記溶接継目の両側に位置し、前記継目に跨る横方向に縮小した中間ポケット部分（３６，３３６，４３６）により互いに接合された第１及び第２の横方向に拡大した凹部（３２，３４，３３２，３３４，４３２，４３４）を構成する、連続した概ねドッグボーンの形状のポケット（２０，３２０，４２０）と、
前記ドッグボーンの形状のポケットに概ね相補的な形状であり、前記ポケット内に配置された概ねドッグボーンの形状の補強要素（１８，３１８，４１８）であって、横方向に縮小した中間部分（２８，３２８，４２８）により互いに接続された横方向に拡大した端部部分（２４，２６，３２４，３２６，４２４，４２６）を含み、前記第１及び第２ポケット部分の各々は、前記細長い溶接継目に概ね平行に延び、前記部材の前記基部から前記表面に向う方向で前記ポケット部分から離れるようにテーパを持った少なくとも１つの端縁（４２，４４）を有し、前記ドッグボーンの形状の補強要素の前記拡大した端部部分の各々は、前記細長い溶接継目に概ね平行に延び、前記関連のポケット部分の前記テーパに対して概ね相補的な形状であるテーパを持った少なくとも１つの端縁（４６，４８）を有する、補強要素（１８，３１８，４１８）と、
前記ドッグボーンの形状の補強要素を前記ポケット内に保持するための手段（２３，３２３，４２９，５００）と、を含むことを特徴とする溶接補強構造。
【請求項１３】  前記保持手段は、前記ポケット部分の一方の部分の基部から前記部材の前記表面に向う方向に延びる突起（３２，３２２）と、前記突起と係合し前記要素を前記溶接継目に跨って前記ポケット内に保持するするための保持クランプ（２３，３２３）とを含むことを特徴とする請求項１２に記載の溶接補強構造。
【請求項１４】  前記保持手段は、前記第１及び第２部材の表面並びに前記ポケット内の前記要素の上を覆う被覆（５００）を含むことを特徴とする請求項１２に記載の溶接補強構造。
【請求項１５】  前記要素は、前記第１及び第２部材の熱膨張係数よりも低い熱膨張係数を有する材料で形成され、前記溶接継目に垂直な方向の荷重が前記要素に沿う引張荷重として担持されることを可能にすることを特徴とする請求項１２に記載の溶接補強構造。
【手続補正２】
【補正対象書類名】明細書
【補正対象項目名】０００５
【補正方法】変更
【補正の内容】
【０００５】
修理金具の別の実施例は、シュラウドの上端部をシュラウド支持体に接続する多数のタイロッドを使用するものであった。タイロッドに用いられる材料は、シュラウドの材料の熱膨張係数より低い熱膨張係数を備えていた。種々の幾何学構造の緩衝装置が、圧力容器及びシュラウドの外部間に横方向の支持を行なうために用いられてきた。一般的に、緩衝装置は、上端案内格子、炉心プレート及びシュラウドの上方においてシュラウド支持継手に対して設置される。この方法では、先行の方法のように、環状空間領域への接近が同じように制限された。いくつかの設計では、ジェットポンプ吸入口ミキサーへの接近を可能にするために修理金具の取外しが必要であったり、また圧力容器を内部から点検するために接近することが制限された。
【特許文献１】米国特許第１８０２８２９号  １９３１年４月発行
【特許文献２】米国特許第４５６００５９号  １９８５年１２月発行
【特許文献３】米国特許第４７３３７７１号  １９８８年３月発行
【特許文献４】米国特許第４８３６７１７号  １９８９年６月発行
【特許文献５】米国特許第５３３３５５７号  １９９４年８月発行
【特許文献６】米国特許第５４７４４０３号  １９９５年１２月発行
【特許文献７】米国特許第５９９５５７４号  １９９９年１１月発行